(57)【要約】【課題】ＣＧＭサイトに代表されるインターネット上のサイトにおいて、何らかの理由でいったん価値を失った情報の価値を利用可能とする手段を提供する。【解決手段】ＣＧＭサイトを提供するサーバ装置１１には、各サイトのコンテンツデータに対応付けてスコープ決定データ群が記憶されている。スコープ決定データ群には、そのサイトの閲覧およびそのサイトへの書込を許可するユーザを示すスコープを変更するトリガとなる条件を示す条件データと、変更後のスコープを示すスコープデータが含まれている。サーバ装置１１は、スコープ決定データ群に含まれる条件データおよびスコープデータに従い、公開されていたサイトをいったん非公開化し、例えば数年という歳月が経過した後、非公開化していたサイトを再度、公開するとともに、その旨を例えばそのサイトに書き込みを行ったユーザに対し通知する。【選択図】図１
2011060247.tif 000002
【特許請求の範囲】
【請求項１】
１以上のデータの集まりであるデータ群を記憶する記憶手段と、
所定のイベントの発生をトリガとして、前記所定のイベントの発生前と比較し、前記データ群に含まれるデータの送信先として許可する装置のユーザの範囲であるスコープを縮小し、前記所定のイベントの発生後に所定の条件が満たされた場合に、前記所定の条件が満たされる前と比較し、前記スコープを拡大するスコープ変更手段と、
前記データ群に含まれるデータを要求する閲覧要求データを受信する受信手段と、
前記受信手段により受信された閲覧要求データの送信元の装置のユーザが前記スコープに含まれる場合に限り、前記受信手段により受信された閲覧要求データに応じてデータを当該閲覧要求データの送信元の装置に送信する送信手段と
を備えるサーバ装置。
【請求項２】
前記記憶手段は、前記スコープ変更手段により拡大された後の前記スコープに含まれるユーザの連絡先を示す連絡先データを記憶し、
前記所定の条件が満たされた場合に、前記連絡先データにより示される連絡先に対し通知を行う通知手段を備える
請求項１に記載のサーバ装置。
【請求項３】
前記スコープ変更手段は、前記所定のイベントの発生をトリガとして、いずれのユーザも含まない範囲に前記スコープを縮小する
請求項１または２に記載のサーバ装置。
【請求項４】
前記受信手段は、前記スコープに含まれるユーザの装置から、前記データ群に対するデータの追加を要求する書込要求データを受信し、
前記記憶手段は、前記受信手段により受信された書込要求データに応じてデータを前記データ群に追加して記憶する
請求項１乃至３のいずれかに記載のサーバ装置。
【請求項５】
前記受信手段は、書込要求データとともに当該書込要求データの送信元の装置のユーザを識別するユーザ識別データを受信し、
前記記憶手段は、前記受信手段により受信されたユーザ識別データを記憶し、
前記スコープ変更手段は、前記所定の条件が満たされた場合に、前記記憶手段に記憶されているユーザ識別データにより識別されるユーザを含む範囲に前記スコープを拡大する
請求項４に記載のサーバ装置。
【請求項６】
所定の基準時刻からの経過時間を計測もしくは現在時刻を計測する計時手段を備え、
前記所定の条件は、所定の基準時刻から所定の時間が経過したこと、もしくは現在時刻が所定の時刻に達したことにより満たされる条件である
請求項１乃至５のいずれかに記載のサーバ装置。
【請求項７】
前記記憶手段は、１以上のユーザの各々に関し当該ユーザの属性を示すユーザ属性データを記憶し、
前記所定の条件は、前記ユーザ属性データにより示されるユーザの属性の変化に伴い満たされる条件である
請求項１乃至５のいずれかに記載のサーバ装置。
【請求項８】
前記記憶手段は、所定の社会もしくは地域、もしくは世界の社会的環境もしくは自然的環境の属性を示す環境属性データを記憶し、
前記所定の条件は、前記環境属性データにより示される属性の変化に伴い満たされる条件である
請求項１乃至５のいずれかに記載のサーバ装置。
【請求項９】
前記受信手段は、所定のユーザの装置からスコープの変更を指示する指示データを受信し、
前記所定のイベントは、前記受信手段による前記指示データの受信である
請求項１乃至８のいずれかに記載のサーバ装置。
【請求項１０】
前記所定のイベントは、前記所定の条件とは異なる所定の条件が満たされることである
請求項１乃至８のいずれかに記載のサーバ装置。
【請求項１１】
前記スコープ変更手段は、前記所定の条件とは異なる所定の条件である他の条件が満たされた場合に、前記他の条件が満たされる前と比較し、前記スコープを縮小する
請求項１乃至１０のいずれかに記載のサーバ装置。
【請求項１２】
任意の装置との間でデータの送受信を行う機能を備えたコンピュータに、
１以上のデータの集まりであるデータ群を記憶する処理と、
所定のイベントの発生をトリガとして、前記所定のイベントの発生前と比較し、前記データ群に含まれるデータの送信先として許可する装置のユーザの範囲であるスコープを縮小し、前記所定のイベントの発生後に所定の条件が満たされた場合に、前記所定の条件が満たされる前と比較し、前記スコープを拡大する処理と、
前記データ群に含まれるデータを要求する閲覧要求データを受信する処理と、
前記受信した閲覧要求データの送信元の装置のユーザが前記スコープに含まれる場合に限り、前記受信した閲覧要求データに応じてデータを前記閲覧要求データの送信元の装置に送信する処理と
を実行させるプログラム。
【請求項１３】
１以上のデータの集まりであるデータ群を記憶しているサーバ装置が、所定のイベントの発生をトリガとして、前記所定のイベントの発生前と比較し、前記データ群に含まれるデータの送信先として許可する装置のユーザの範囲であるスコープを縮小し、前記所定のイベントの発生後に所定の条件が満たされた場合に、前記所定の条件が満たされる前と比較し、前記スコープを拡大するスコープ変更ステップと、
前記サーバ装置が、前記スコープ変更ステップにおける前記スコープの変更の前後のいずれかのタイミングにおいて、前記データ群に含まれるデータを要求する閲覧要求データを受信する受信ステップと、
前記サーバ装置が、前記受信ステップにおいて受信した閲覧要求データの送信元の装置のユーザが前記スコープに含まれる場合に限り、当該閲覧要求データに応じてデータを当該閲覧要求データの送信元の装置に送信する送信ステップと
を備える方法。
【発明の詳細な説明】
【技術分野】
【０００１】
本発明は、ネットワークを介してデータを送信する技術に関し、より詳しくはネットワークを介したデータへのアクセス制御に関する。
【背景技術】
【０００２】
インターネットの普及に伴い、ブログ、ＳＮＳ（Ｓｏｃｉａｌ  Ｎｅｔｗｏｒｋｉｎｇ  Ｓｅｒｖｉｃｅ）、ＢＢＳ（電子掲示板、Ｂｕｌｌｅｔｉｎ  Ｂｏａｒｄ  Ｓｙｓｔｅｍ）、口コミサイト等のＣＧＭ（Ｃｏｎｓｕｍｅｒ  Ｇｅｎｅｒａｔｅｄ  Ｍｅｄｉａ）サイトが広く人々に利用されている。ＣＧＭサイトは、非商業目的の一般ユーザが発信する情報を、インターネットを介して多数の一般ユーザに対し閲覧可能とするサイトである。
【０００３】
例えば一般にブログとは、ブログの管理者の個人的な体験や日記、特定のトピックに関する感想等を時系列的に記録したものを、インターネットを介して任意の一般ユーザに対し閲覧可能としたサイトのことをいう。ブログの中には、ブログの管理者から発信された情報に対する閲覧ユーザからのコメントの書き込みを受け付けるものもある。
【０００４】
また、例えば一般的にＳＮＳとは、例えば趣味や居住地域、出身校、共通の友人、といった何らかのつながりをもった一般ユーザが会員として登録を受け、登録を受けた一般ユーザ間で各種の情報を交換することを可能としたサイトのことをいう。
【０００５】
ＣＧＭサイトによれば、一般ユーザの些細な思いや考えを多くの人の間で共有することが可能となる。
【発明の概要】
【発明が解決しようとする課題】
【０００６】
ＣＧＭサイトに記録され共有される情報は、一般ユーザの書き込みにより、日々増加していく。そして、ＣＧＭサイトをインターネット上で提供するサーバ装置の記憶容量の制限等により、古い情報は順次、消去されていくことが多い。また、一時的に人気を博したＣＧＭサイトであってもその人気が失われた場合、ＣＧＭサイトが閉鎖され、そのＣＧＭサイトの情報が消去されてしまう場合もある。
【０００７】
ところで、ＣＧＭサイトに蓄積される情報は、そのＣＧＭサイトにおいて情報を発信した一般ユーザの日常的な些細な思いや考えを示す情報であり、映画やドラマ、小説等と比較してノンフィクションな情報である。従って、ＣＧＭサイトに蓄積される情報は、書き込みを行った一般ユーザの心の記録であるとともに、その時代や社会環境を色濃く反映した世相の表現でもあり、ＣＧＭサイトを単に閲覧していた一般ユーザにとっても貴重な思い出となり得る情報である。
【０００８】
上記のように、ＣＧＭサイトに蓄積される情報は貴重な情報であるにもかかわらず、日常的な情報であるが故に、書き込みが行われた後、さほど時間が経過していない場合にはその価値が認識されにくく、上述したように、いつしかサーバ装置から消去され、永遠に失われてしまう。
【０００９】
本発明は、上述した事情に鑑み、ＣＧＭサイトに代表されるインターネット上のサイトにおいて、何らかの理由でいったん価値を失った情報の価値を利用可能とする手段を提供することを目的とする。
【課題を解決するための手段】
【００１０】
上記の目的を実現するために、本発明は、
１以上のデータの集まりであるデータ群を記憶する記憶手段と、
所定のイベントの発生をトリガとして、前記所定のイベントの発生前と比較し、前記データ群に含まれるデータの送信先として許可する装置のユーザの範囲であるスコープを縮小し、前記所定のイベントの発生後に所定の条件が満たされた場合に、前記所定の条件が満たされる前と比較し、前記スコープを拡大するスコープ変更手段と、
前記データ群に含まれるデータを要求する閲覧要求データを受信する受信手段と、
前記受信手段により受信された閲覧要求データの送信元の装置のユーザが前記スコープに含まれる場合に限り、前記受信手段により受信された閲覧要求データに応じてデータを当該閲覧要求データの送信元の装置に送信する送信手段と
を備えるサーバ装置を提供する（第１の実施態様）。
【００１１】
上述した第１の実施態様において、
前記記憶手段は、前記スコープ変更手段により拡大された後の前記スコープに含まれるユーザの連絡先を示す連絡先データを記憶し、
前記所定の条件が満たされた場合に、前記連絡先データにより示される連絡先に対し通知を行う通知手段を備える
構成が採用されてもよい（第２の実施態様）。
【００１２】
また、上述した第１または第２の実施態様において、
前記スコープ変更手段は、前記所定のイベントの発生をトリガとして、いずれのユーザも含まない範囲に前記スコープを縮小する
構成が採用されてもよい（第３の実施態様）。
【００１３】
また、上述した第１乃至第３のいずれかの実施態様において、
前記受信手段は、前記スコープに含まれるユーザの装置から、前記データ群に対するデータの追加を要求する書込要求データを受信し、
前記記憶手段は、前記受信手段により受信された書込要求データに応じてデータを前記データ群に追加して記憶する
構成が採用されてもよい（第４の実施態様）。
【００１４】
また、上述した第４の実施態様において、
前記受信手段は、書込要求データとともに当該書込要求データの送信元の装置のユーザを識別するユーザ識別データを受信し、
前記記憶手段は、前記受信手段により受信されたユーザ識別データを記憶し、
前記スコープ変更手段は、前記所定の条件が満たされた場合に、前記記憶手段に記憶されているユーザ識別データにより識別されるユーザを含む範囲に前記スコープを拡大する
構成が採用されてもよい（第５の実施態様）。
【００１５】
また、上述した第１乃至第５のいずれかの実施態様において、
所定の基準時刻からの経過時間を計測もしくは現在時刻を計測する計時手段を備え、
前記所定の条件は、所定の基準時刻から所定の時間が経過したこと、もしくは現在時刻が所定の時刻に達したことにより満たされる条件である
構成が採用されてもよい（第６の実施態様）。
【００１６】
また、上述した第１乃至第５のいずれかの実施態様において、
前記記憶手段は、１以上のユーザの各々に関し当該ユーザの属性を示すユーザ属性データを記憶し、
前記所定の条件は、前記ユーザ属性データにより示されるユーザの属性の変化に伴い満たされる条件である
構成が採用されてもよい（第７の実施態様）。
【００１７】
また、上述した第１乃至第５のいずれかの実施態様において、
前記記憶手段は、所定の社会もしくは地域、もしくは世界の社会的環境もしくは自然的環境の属性を示す環境属性データを記憶し、
前記所定の条件は、前記環境属性データにより示される属性の変化に伴い満たされる条件である
構成が採用されてもよい（第８の実施態様）。
【００１８】
また、上述した第１乃至第８のいずれかの実施態様において、
前記受信手段は、所定のユーザの装置からスコープの変更を指示する指示データを受信し、
前記所定のイベントは、前記受信手段による前記指示データの受信である
構成が採用されてもよい（第９の実施態様）。
【００１９】
また、上述した第１乃至第８のいずれかの実施態様において、
前記所定のイベントは、前記所定の条件とは異なる所定の条件が満たされることである
構成が採用されてもよい（第１０の実施態様）。
【００２０】
また、上述した第１乃至第１０のいずれかの実施態様において、
前記スコープ変更手段は、前記所定の条件とは異なる所定の条件である他の条件が満たされた場合に、前記他の条件が満たされる前と比較し、前記スコープを縮小する
構成が採用されてもよい（第１１の実施態様）。
【００２１】
さらに、本発明は、
任意の装置との間でデータの送受信を行う機能を備えたコンピュータに、
１以上のデータの集まりであるデータ群を記憶する処理と、
所定のイベントの発生をトリガとして、前記所定のイベントの発生前と比較し、前記データ群に含まれるデータの送信先として許可する装置のユーザの範囲であるスコープを縮小し、前記所定のイベントの発生後に所定の条件が満たされた場合に、前記所定の条件が満たされる前と比較し、前記スコープを拡大する処理と、
前記データ群に含まれるデータを要求する閲覧要求データを受信する処理と、
前記受信した閲覧要求データの送信元の装置のユーザが前記スコープに含まれる場合に限り、前記受信した閲覧要求データに応じてデータを前記閲覧要求データの送信元の装置に送信する処理と
を実行させるプログラムを提供する（第１２の実施態様）。
【００２２】
また、本発明は、
１以上のデータの集まりであるデータ群を記憶しているサーバ装置が、所定のイベントの発生をトリガとして、前記所定のイベントの発生前と比較し、前記データ群に含まれるデータの送信先として許可する装置のユーザの範囲であるスコープを縮小し、前記所定のイベントの発生後に所定の条件が満たされた場合に、前記所定の条件が満たされる前と比較し、前記スコープを拡大するスコープ変更ステップと、
前記サーバ装置が、前記スコープ変更ステップにおける前記スコープの変更の前後のいずれかのタイミングにおいて、前記データ群に含まれるデータを要求する閲覧要求データを受信する受信ステップと、
前記サーバ装置が、前記受信ステップにおいて受信した閲覧要求データの送信元の装置のユーザが前記スコープに含まれる場合に限り、当該閲覧要求データに応じてデータを当該閲覧要求データの送信元の装置に送信する送信ステップと
を備える方法を提供する（第１３の実施態様）。
【発明の効果】
【００２３】
本発明の第１の実施態様にかかるサーバ装置、第１２の実施態様にかかるプログラム、もしくは第１３の実施態様にかかる方法によれば、ネットワークを介して所定のデータを閲覧可能なユーザの範囲が一時的に縮小された後、所定の条件が満たされることを契機に拡大されるため、縮小された範囲に含まれず拡大された範囲に含まれるユーザは、一時的に閲覧できなくなっていたデータを、所定の条件が満たされることを契機に再度閲覧することができるようになる。その結果、過去に閲覧可能であったデータが、過去には有していなかった価値が伴ったタイミングで、貴重なデータとして利用に供されることになる。
【００２４】
本発明の第２の実施態様にかかるサーバ装置によれば、縮小された範囲に含まれず拡大された範囲に含まれるユーザは、一時的に閲覧できなくなっていたデータが閲覧可能となったことを通知により知ることができる。その結果、再閲覧が可能となったデータのユーザによる利用が促される。
【００２５】
本発明の第３の実施態様にかかるサーバ装置によれば、過去にいずれかのユーザにより閲覧可能であったデータが一時的にいずれのユーザによっても閲覧できなくなる。そのため、再度閲覧が可能となった場合、そのデータの貴重さがユーザにとって意識されやすくなり、再閲覧可能となったデータのユーザによる利用が促される。
【００２６】
本発明の第４の実施態様にかかるサーバ装置によれば、ユーザから発信されるデータを含むいわゆるＣＧＭコンテンツが一時的に少なくとも一部のユーザにより閲覧できなくなり、その後、それらのユーザに再閲覧可能とされる。そのため、時間の経過に伴い価値を増す日常的な些細な情報のもつ価値の利用が促される。
【００２７】
本発明の第５の実施態様にかかるサーバ装置によれば、所定の条件が満たされた後にデータを再閲覧可能となるユーザは、閲覧できるユーザの範囲が縮小される前においていわゆるＣＧＭコンテンツへの書き込みを行ったユーザを含むことになる。同じＣＧＭコンテンツであっても、そのＣＧＭコンテンツを単に閲覧したユーザや閲覧さえしなかったユーザと比べ、書き込みを行ったユーザにとってのＣＧＭコンテンツの価値は一般的に高い。従って、本発明の第５の実施態様にかかるサーバ装置によれば、データの持つ価値の効率的な利用が促される。
【００２８】
本発明の第６の実施態様にかかるサーバ装置によれば、少なくとも一部のユーザにより一時的に閲覧できなくなったデータが、所定の時間の経過もしくは所定の時刻に達したことを契機として再閲覧可能となる。従って、例えば同窓生が情報交換に用いたＣＧＭサイトのコンテンツを卒業後１０年後に再度閲覧し、過去の自分たちの足跡を振り返る、といったようなデータの利用が可能となる。
【００２９】
本発明の第７の実施態様にかかるサーバ装置によれば、あるユーザの属性の変化に応じてデータを再閲覧可能なユーザの範囲が拡張される。従って、例えば、未婚という属性をもったユーザに閲覧を禁止していたデータを、そのユーザの属性が未婚から既婚へと変化することに伴い、そのユーザに対し再閲覧可能とする、といったことが可能となる。その結果、個々のユーザにとって価値が高まった時点でデータの再閲覧を可能とすることにより、データの利用が促される。
【００３０】
本発明の第８の実施態様にかかるサーバ装置によれば、社会環境や自然環境の変化に伴い、データが再閲覧可能となる。従って、例えば過去に起こった大地震の後に被災地の人々が情報交換に用いたＣＧＭサイトのコンテンツを、いずれかの地域で大地震が発生した際に再閲覧可能とすることにより、過去の人々の体験に基づく情報を後の人々が活用することが可能となる。
【００３１】
本発明の第９の実施態様にかかるサーバ装置によれば、例えばブログの管理者がサーバ装置に対し所定の指示を行うことにより、そのブログの所定期間の過去ログを一時的に閲覧禁止とすることができる。すなわち、管理者による判断に従い、適当なタイミングで価値の低下したデータのアーカイブ化が行われ、データの内容によっては望ましい。
【００３２】
本発明の第１０の実施態様にかかるサーバ装置によれば、例えば年の変わり目において１年以上前の過去ログが自動的にアーカイブ化され、いずれのユーザにも閲覧できなくなり、例えば１０年後に再度、閲覧可能となる、といったシステムが実現される。すなわち、自動的に価値の低下したデータのアーカイブ化が行われ、データの内容によっては望ましい。
【００３３】
本発明の第１１の実施態様にかかるサーバ装置によれば、あるデータを再閲覧可能となったユーザに対し、そのデータが再度、閲覧禁止とされる。従って、例えば、毎年、結婚記念日の前後１週間のみ、過去の書き込みを閲覧可能とするとともに、新たな書き込みを許可することにより、結婚記念日の年々の記録を残す、といった新しいタイプのＣＧＭサイトが実現可能となる。
【図面の簡単な説明】
【００３４】
【図１】図１は、本発明の実施形態にかかるシステムの全体構成を示した図である。
【図２】図２は、本発明の実施形態にかかるサーバ装置の機能構成を示した図である。
【図３】図３は、本発明の実施形態にかかるユーザ属性ＤＢの構成を示した図である。
【図４】図４は、本発明の実施形態にかかる環境属性ＤＢの構成を示した図である。
【図５】図５は、本発明の実施形態にかかるスコープ決定データ群の構成を示した図である。
【図６】図６は、本発明の実施形態にかかるスコープ決定データ群の構成を示した図である。
【図７】図７は、本発明の実施形態にかかるスコープ決定データ群の構成を示した図である。
【図８】図８は、本発明の実施形態にかかるスコープ決定データ群の構成を示した図である。
【図９】図９は、本発明の実施形態にかかるスコープ決定データ群の構成を示した図である。
【図１０】図１０は、本発明の実施形態にかかるスコープ決定データ群の構成を示した図である。
【図１１】図１１は、本発明の実施形態にかかるスコープ決定データ群の構成を示した図である。
【図１２】図１２は、本発明の実施形態にかかるスコープ決定データ群の構成を示した図である。
【発明を実施するための形態】
【００３５】
［１．実施形態］
以下、本発明の具体例である実施形態を、図面を用いて説明する。
【００３６】
［１．１．構成］
図１は、本発明の実施形態にかかるシステム１の全体構成を示した図である。システム１は、ブログ、ＳＮＳ、ＢＢＳ、静止画・動画共有サイト、口コミサイト等の各種のＣＧＭサイトを提供するシステムである。
【００３７】
システム１は、サイトのコンテンツを記憶し、システム１の利用者が使用する端末装置からの閲覧要求に応じてコンテンツを端末装置に送信したり、書込要求に応じてコンテンツにデータを追加したりするサーバ装置１１と、システム１の利用者が使用する端末装置１２を備えている。端末装置１２はシステム１の利用者の数だけあり、その数は様々に変化する。
【００３８】
端末装置１２の各々は、ネットワーク２１を介してサーバ装置１１との間でデータ通信を行うことができる。ネットワーク２１はインターネットとその他のネットワーク、例えばＬＡＮ（Ｌｏｃａｌ  Ａｒｅａ  Ｎｅｔｗｏｒｋ）や移動通信網等が互いに接続されたネットワークの集合体である。
【００３９】
端末装置１２は、ブラウザ機能およびメーラ機能を備えた一般的なパーソナルコンピュータ、携帯電話等であり、その構成の説明は省略する。
【００４０】
サーバ装置１１は、例えばネットワーク２１を介して端末装置１２との間でデータ通信を行う機能を備えたパーソナルコンピュータに、本発明にかかるアプリケーションプログラムに従った処理を実行させることにより実現される。ただし、それに代えて、サーバ装置１１が、例えば以下に説明する各構成部の処理を行うハードウェアの集まりにより、いわゆる専用機として実現されてもよい。
【００４１】
図２は、サーバ装置１１の機能構成を示した図である。サーバ装置１１はその機能構成部として、各種データを記憶する記憶部１１１と、あるサイトのコンテンツの閲覧もしくはそのコンテンツへの書込（以下、これらを総称して「コンテンツへのアクセス」という）を許可するユーザの範囲であるスコープを変更するスコープ変更部１１２と、スコープ変更部１１２からの要求に応じて現在時刻を示す現在時刻データを出力する計時部１１３と、ネットワーク２１を介して他の装置から送信されてくるデータを受信する受信部１１４と、他の装置にネットワーク２１を介してデータを送信する送信部１１５と、スコープが変更されたことを通知する電子メールをネットワーク２１に送出する通知部１１６と、を備えている。
【００４２】
さらに、サーバ装置１１は、コンテンツへのアクセスを要求してくる装置のユーザの本人認証を行う本人認証部１１７と、スコープに基づき本人認証部１１７により本人認証を受け識別されたユーザによるコンテンツへのアクセスを制御するアクセス制御部１１８と、を備えている。
【００４３】
スコープ変更部１１２は記憶部１１１に記憶されているスコープ決定データ群（後述）に含まれる条件データにより示される条件が満たされるか否かを判定する判定部１１２１を有している。スコープ変更部１１２は、判定部１１２１の判定結果に従い、条件が満たされた場合はスコープ決定データ群に含まれるスコープデータにより示されるスコープに現在のスコープを変更する。
【００４４】
計時部１１３は、例えばネットワーク２１を介して図示せぬ時計サーバ装置から現在時刻を示す現在時刻データを定期的に取得するとともに、基準時刻からの経過時間を常時計測している。そして、計時部１１３はスコープ変更部１１２からの要求を受けると、時計サーバ装置から取得した現在時刻データが示す時刻に現在時刻データの取得時刻からの経過時間を加算することで現在時刻を算出し、算出した現在時刻を示す現在時刻データをスコープ変更部１１２に引き渡す。なお、上述した計時部１１３の構成および動作は例示であって、現在時刻データの生成が他のいかなる構成や方法により行われてもよい。
【００４５】
本人認証部１１７は、端末装置１２のユーザにより入力され当該端末装置１２から送信されたユーザＩＤおよびパスワードが受信部１１４により受信された場合、そのユーザＩＤおよびパスワードの組み合わせを含むレコードを記憶部１１１に記憶されているユーザ属性ＤＢ（Ｄａｔａｂａｓｅ）（後述）から検索し、その検索に成功した場合、当該端末装置１２のユーザがユーザＩＤにより識別されるユーザ本人であると認証する。
【００４６】
アクセス制御部１１８は、受信部１１４により端末装置１２からコンテンツの閲覧を要求する閲覧要求データが受信された場合、本人認証部１１７による認証において識別された当該端末装置１２のユーザが現在の閲覧に関するスコープに入っているか否かを判定する。そして、アクセス制御部１１８は、要求元の端末装置１２のユーザがスコープに入っていると判定した場合は、送信部１１５に対し要求されたコンテンツデータの端末装置１２に対する送信を指示する一方、スコープに入っていないと判定した場合は、送信部１１５に対し要求されたコンテンツデータの送信を禁じるとともに、例えばアクセスできない旨の通知の端末装置１２に対する送信を指示する。
【００４７】
同様に、アクセス制御部１１８は、受信部１１４により端末装置１２からコンテンツへの書込を要求する書込要求データが受信された場合、本人認証部１１７による認証において識別された当該端末装置１２のユーザが現在の書込に関するスコープに入っているか否かを判定する。そして、アクセス制御部１１８は、要求元の端末装置１２のユーザがスコープに入っていると判定した場合は、記憶部１１１に対し要求されたコンテンツデータの書き換えを指示する一方、スコープに入っていないと判定した場合は、記憶部１１１に対するデータの書き換えを禁じるとともに、送信部１１５に対し、例えばアクセスできない旨の通知の端末装置１２に対する送信を指示する。
【００４８】
記憶部１１１には、システム１の利用者として登録されている会員ユーザの各々に関しユーザの属性を示すユーザ属性データを格納したユーザ属性ＤＢと、社会環境や自然環境の現状を示す環境属性データを格納した環境属性ＤＢとが記憶されている。また、記憶部１１１には、システム１において提供される複数のサイトの各々に関し、そのサイトのコンテンツを示すコンテンツデータと、そのサイトのスコープを決定するためのデータであるスコープ決定データ群とが互いに対応付けられて記憶されている。
【００４９】
図３は、ユーザ属性ＤＢの構成を示した図である。ユーザ属性ＤＢは、会員ユーザに各々対応する複数のレコードの集まりであり、各レコードは大きく、ユーザの本人認証を行うためのユーザ認証データと、ユーザの各種属性を示すユーザ属性データにより構成されている。
【００５０】
ユーザ認証データは、ユーザＩＤ（Ｉｄｅｎｔｉｆｉｅｒ）とパスワードにより構成され、ユーザＩＤはユーザのメールアドレスである。なお、ユーザＩＤがメールアドレスを兼ねる代わりに、メールアドレスとは異なるユーザＩＤが用いられ、メールアドレスがそのユーザＩＤに対応付けてユーザ属性ＤＢに記憶される構成が採用されてもよい。
【００５１】
ユーザ属性データは、サブフィールドとして、例えば「性別」、「生年月日」、「婚姻」、・・・といった各種属性を示すデータを格納するフィールドを含んでいる。ユーザＩＤおよびパスワードにより本人認証された端末装置１２のユーザは、自分の属性を示すユーザ属性データを変更することができる。例えば、未婚のユーザが結婚し既婚となった場合、そのユーザは自分のユーザ属性データの「婚姻」を「Ｎｏ」から「Ｙｅｓ」に変更することができる。その変更の方法は、通常のサイトにおけるユーザ情報の変更の方法と同様であるため、その説明を省略する。
【００５２】
図４は、環境属性ＤＢの構成を示した図である。環境属性ＤＢは、社会環境や自然環境の様々な事象に各々対応する複数のレコードの集まりであり、各レコードは、事象の種別を示すフィールド「種別」と、その事象の現状を示すフィールド「環境属性データ」により構成されている。環境属性データは、「属性１」、「属性２」、「属性３」、・・・のように複数の属性を格納するためのサブフィールドの集まりである。例えば、図４に例示したデータの第１のレコードは、東京地域の現在の天気が晴れであることを示している。
【００５３】
サーバ装置１１の管理者は、社会環境や自然環境の変化に応じて、環境属性ＤＢの内容を更新する。例えば、２００９年５月２０日に関東地方で最大震度６．８の地震が発生した場合、サーバ装置１１の管理者はサーバ装置１１を操作し、例えば図４に例示したデータの第３のレコードを環境属性ＤＢに追加登録する。
【００５４】
記憶部１１１に記憶される各サイトに対応するコンテンツデータは、サイトの種別に応じて異なるが、いずれも従来のものと同様であるためその説明を省略する。
【００５５】
図５は、各サイトに対応付けて、すなわち各コンテンツデータに対応付けて、記憶部１１１に記憶されているスコープ決定データ群の構成を示した図である。なお、図５に示されるデータは、ある子どもの成長を記録した写真（静止画）およびビデオ（動画）をその子どもの家族や親族が自由に閲覧できるようにするための静止画・動画共有サイトに関するデータである。
【００５６】
スコープ決定データ群には、以下のデータが含まれている。
サイトＩＤ：サイトの識別子。
サイト説明：サイトの内容説明。サイトのタイトルを示す。
管理者ＩＤ：サイトの管理者のユーザＩＤ。
コンテンツ種別：サイトに含まれるコンテンツが「静止画・動画共有」、「ブログ」、「ＳＮＳ」、「ＢＢＳ」、「口コミサイト」等のいずれでるかを示す。
サイト生成日：サイトの生成日。
現在のスコープ：現在有効なスコープを示すスコープデータ。「オリジナルスコープ」、「縮小スコープ」、「拡大スコープ」のいずれか。
【００５７】
オリジナルスコープ：サイトの最初の公開時におけるスコープを示すスコープデータ。
スコープ縮小条件：現在のスコープがオリジナルスコープである場合において、スコープを縮小スコープに変更するトリガとなる条件を示す条件データ。
縮小スコープ：スコープ縮小条件が満たされた後に採用されるスコープを示すスコープデータ。
スコープ縮小日：現在のスコープがオリジナルスコープから縮小スコープに変更された日付を示す。
【００５８】
スコープ拡大条件：現在のスコープが縮小スコープである場合において、スコープを拡大スコープに変更するトリガとなる条件を示す条件データ。
拡大スコープ：スコープ拡大条件が満たされた後に採用されるスコープを示すスコープデータ。
スコープ拡大日：現在のスコープが縮小スコープから拡大スコープに変更された日付を示す。
【００５９】
子サイト生成条件：このサイトを親サイトとし、親サイトのコンテンツデータの一部を分離し、分離したコンテンツデータを提供する新しいサイトを子サイトとして生成するトリガとなる条件を示す条件データ。
移動コンテンツ条件：親サイトから分離され、子サイトに移動されるコンテンツデータの条件を示す条件データ。
その他の処理：上記のいずれにも属さない処理を指示するデータ。例えば、子サイトを生成時に、子サイトのスコープ決定データ群に、親サイトのスコープ決定データ群とは異なる内容を設定したい場合等に、その設定指示を示すデータが格納される。
【００６０】
オリジナルスコープ、縮小スコープ、拡大スコープの各々を示すスコープデータには、閲覧を許可するユーザのユーザＩＤ群と、書込を許可するユーザのユーザＩＤ群とは含まれる。それらのユーザＩＤには、会員ユーザのユーザＩＤ、すなわちユーザ属性ＤＢに登録されているユーザのメールアドレスと、非会員ユーザのユーザＩＤ、すなわちユーザ属性ＤＢに登録されていないユーザのメールアドレスとが含まれ得る。会員ユーザのユーザＩＤと非会員ユーザのユーザＩＤとを区別するため、会員ユーザのユーザＩＤにはその末尾に（Ｓ）が付されている。
【００６１】
また、オリジナルスコープ、縮小スコープ、拡大スコープの各々を示すスコープデータには、書込に関し、非会員ユーザによる書込においてその非会員ユーザのメールアドレスの入力を要求するか否かを示すデータとして、「メールアドレス要求：Ｙｅｓ」もしくは「メールアドレス要求：Ｎｏ」が含まれる。「メールアドレス要求：Ｙｅｓ」の場合、非会員ユーザにより書込が行われるとそれらの非会員ユーザのメールアドレスが書き込み内容とともにサーバ装置１１に送信され、コンテンツデータに蓄積される。
【００６２】
［１．２．動作］
続いて、システム１の動作を説明する。ただし、システム１の動作は、従来のＣＧＭサイトの提供システムと比較し、サイトの管理者が手動により行う指示や、予めスコープ決定データ群において設定されている条件が満たされたことをトリガとして、スコープが変更される点に特徴がある。従って、以下にその点を中心に説明を行い、従来のシステムと共通する動作についてはその説明を省略する。
【００６３】
［１．２．１．第１ケース］
第１のケースとして、図５に示したスコープ決定データ群が対応付けられた静止画・動画共有サイトに関し、どのようにスコープが変更されてゆくかにつき説明する。まず、図５に示されるように、現在のスコープはオリジナルスコープであるものとする。一般的に、このようなサイトの主人公である子どもが生まれた後、まだその子どもが幼い間は、その家族がその子どもの写真やビデオを撮影してはそれらのデータをアップロードし、その家族や親族がアップロードされた写真やビデオを閲覧する、ということが頻繁に行われる。従って、図５のデータ例では、その間のスコープとして、家族は閲覧および書込の許可されたユーザとして、また親族は閲覧のみ許可されたユーザとして、オリジナルスコープに登録されている。
【００６４】
その後、サイトの主人公の子どもが成長し、例えば中学を卒業する頃になると、一般的に、子どもは写真やビデオをあまり撮影されたがらなくなり、家族も子どもの写真やビデオをあまり頻繁に撮影しなくなり、親族もその子どもの写真やビデオを閲覧するためにあまりサイトに立ち寄らなくなる。そこで、例えばサイトの管理者は、自分の端末装置１２を操作してサーバ装置１１が提供するサイト管理ページにアクセスし、自分の管理するサイトのスコープ変更のための設定を行う。
【００６５】
例えば、このサイトの管理者が、いったんそのサイトを休眠させ、自分を含め誰も閲覧および書込をできなくした後、子どもが結婚した時にその休眠状態を解いて、閲覧のみを許可することを選択したとする。その場合、サイトの管理者は、例えば以下の内容を端末装置１２において入力する。
縮小スコープ：［閲覧］「ｎｏｂｏｄｙ」、［書込］「ｎｏｂｏｄｙ」（ただし、「ｎｏｂｏｄｙ」は誰も許可しないことを示す。）
スコープ拡大条件：「ユーザＩＤ：ｃｈｉｈｉｒｏ＿ｙ＠ｍａｉｌ．ｃｏ．ｊｐ（ｓ）の属性：婚姻がＮｏからＹｅｓに変更された時」
拡大スコープ：［閲覧］「オリジナルスコープと同じ」、［書込］「ｎｏｂｏｄｙ」
【００６６】
サイトの管理者が上記の入力を行った後、端末装置１２においてスコープ変更の操作を行うと、その操作に応じて、端末装置１２からサーバ装置１１に対しスコープ変更を指示する指示データが送信される。サーバ装置１１はその指示データに従い、スコープ決定データ群の内容を図６に示すものに変更する。すなわち、スコープ決定データ群に上記のデータを登録するとともに、「現在のスコープ」を「オリジナルスコープ」から「縮小スコープ」に変更する。
【００６７】
その後、そのサイトは、家族および親族の誰からもアクセスできなくなる。すなわち、いずれかのユーザがこのサイトにアクセスし、閲覧もしくは書込を行おうとして、端末装置１２から閲覧要求データもしくは書込要求データをサーバ装置１１に対し送信しても、サーバ装置１１はスコープ決定データ群により示される現在のスコープに従い、それらの要求データに応じた処理は行わず、アクセスできない旨の通知を端末装置１２に送り返す。その結果、家族や親族には、このサイトが閉鎖されたものと認識される。
【００６８】
その後、また年月が経過し、そのサイトの主人公の子どもが結婚をして、サーバ装置１１に登録されている自分のユーザ属性データのうち「婚姻」を「Ｎｏ」から「Ｙｅｓ」に変更したとする。その変更に応じて、サーバ装置１１のスコープ変更部１１２が有する判定部１１２１は、各サイトのスコープ決定データ群を順次読み出して、それらのスコープ決定データ群に含まれる条件データ、すなわちスコープ縮小条件、スコープ拡大条件、別サイト生成条件、移動コンテンツ条件、およびその他の処理に含まれるデータにより示される条件の各々について、それらが新たに満たされることになったか否かを判定する。この場合、判定部１１２１により、図６に示したスコープ決定データ群のスコープ拡大条件が新たに満たされたと判定される。
【００６９】
上記の判定結果に従い、スコープ変更部１１２は図６に示したスコープ決定データ群を、例えば図７に示すものに更新する。すなわち、現在のスコープを拡大スコープに変更する。さらに、通知部１１６は、縮小スコープに含まれず拡大スコープに含まれるユーザ、すなわちスコープの拡大に伴い新たにこのサイトの閲覧もしくはこのサイトへの書込が許可されるようになったユーザのユーザＩＤが示すメールアドレスに宛てて、その旨を通知する電子メールを生成し、生成した電子メールを送信部１１５に引き渡し、ネットワーク２１に送出する。
【００７０】
その結果、このサイトをかつて閲覧していた家族および親族には、閉鎖されたと思っていたサイトが再度閲覧可能となった旨の電子メールが届く。それを見た家族や親族の多くは、結婚を迎えたこの子どもの幼い頃の思い出を懐かしく思いつつ、タイムカプセルを開くような気持ちで、かつては頻繁に訪れたがすっかり忘れていたサイトを再訪問することができる。そして、何よりもその子ども自身が、家族の愛情に包まれて成長したことを再確認する機会を与えられることになる。
【００７１】
上記のように、システム１によれば、いったん価値を失いあまり利用されなくなったＣＧＭコンテンツが破棄されることなく保存され、時間が経過して価値を再獲得したタイミングで利用に供される。そのため、従来は失われていた貴重なデータの価値を有効に活用することが可能となる。
【００７２】
なお、システム１において、スコープに含められる閲覧可能もしくは書込可能なユーザは、例えばサイトの管理者により自由に変更可能としてもよい。例えば、図５乃至図７に示したサイトの管理者が、結婚した子どもの配偶者にも幼い頃の子どもの写真やビデオを閲覧してもらいたい、と思った場合、その配偶者のメールアドレスを拡大スコープの［閲覧］に追加できれば便利である。図８はそのような追加を行った後のスコープ決定データ群を示している。
【００７３】
［１．２．２．第２ケース］
第２のケースとして、大地震が発生した後、任意の人が震災に関する様々な情報を交換することを可能とするために設けられたＢＢＳサイトのスコープが、システム１において変更される様子を説明する。
【００７４】
図９は、このサイトのスコープ決定データ群を示した図である。このサイトは、１９９５年１月１９日に立ち上げられ、その後、３年間、人々の情報交換に利用された後、その役割を終えて、サイトの管理者により休眠状態にされて現在に至っている。従って、現在のスコープは縮小スコープであり、誰もこのサイトにはアクセスできない。
【００７５】
ただし、このサイトのスコープ決定データ群には、スコープ拡大条件として「震度が６以上の地震がいずれかの地域で発生した時」という条件が設定されており、また拡大スコープには任意のユーザを示す「ａｎｙｂｏｄｙ」が［閲覧］に設定されている。
【００７６】
上述したような状態で、例えば再び大地震が発生したとする。その大地震の発生に伴い、サーバ装置１１の管理者は環境属性ＤＢに、例えば図４に示したデータ例の第３のレコードのようなデータを書き込む。そのような環境属性ＤＢの更新に伴い、判定部１１２１は各スコープ決定データ群に含まれる条件データにより示される条件が満たされたか否かを順次判定してゆき、このサイトのスコープ決定データ群のスコープ拡大条件が新たに満たされたと判定する。その判定結果に従い、スコープ変更部１１２は図９に示したスコープ決定データ群の現在のスコープを拡大スコープに変更する。
【００７７】
その結果、人々は過去に発生した大地震に関しＢＢＳにおいて交換された情報を、新たな大地震の発生後に閲覧し、利用することができるようになる。
【００７８】
［１．２．３．第３ケース］
第３のケースとして、ブログサイトのスコープが、システム１において変更される様子を説明する。
【００７９】
図１０は、あるブログサイトのスコープ決定データ群を示した図である。このサイトの現在のスコープはオリジナルスコープで、非会員ユーザを含む全てのユーザに閲覧および書込が許可されているが、非会員ユーザが書き込む際にはメールアドレスの入力が要求される設定となっている。
【００８０】
このサイトのスコープ決定データ群には、子サイト生成に関する以下の条件が設定されている。
子サイト生成条件：「毎年１月１日になった時」
移動コンテンツ条件：「書き込み日が１年以上前のデータ」
その他の処理：「子サイトの「オリジナルスコープ」の［書込］に「ｎｏｂｏｄｙ」を設定」／「子サイトの「スコープ縮小条件」として「サイト生成日から１年が経過した時」を設定」／「子サイトの「その他の処理」に「スコープ拡大日から１年が経過した時に閉鎖」を設定」
【００８１】
上記の設定に従いサーバ装置１１は、毎年１月１日になると、まず図１０に示したスコープ決定データ群の設定されているサイト（以下、「親サイト］と呼ぶ）のコンテンツデータのうち、書き込み日が１年以上経過しているデータを分離する。次に、サーバ装置１１は親サイトと同じ構成を備えた新しいサイト（以下、「子サイト」と呼ぶ）を生成し、生成した子サイトのコンテンツデータとして、先に親サイトから分離したコンテンツデータを追加する。
【００８２】
なお、子サイトが生成された時点では、子サイトのスコープ決定データ群は親サイトのスコープ決定データ群と同一の内容である。それに対し、サーバ装置１１は上記のその他の処理に設定されている処理を実行する。その結果、子サイトのスコープ決定データ群は図１１に示したものとなる。
【００８３】
子サイトは、図１１に示したスコープ決定データ群に従い、親サイトから分離された後、１年間は任意のユーザにより閲覧のみが許可される。つまり、このサイトの過去ログの閲覧のみが可能となる。親サイトから分離された後、１年が経過すると、子サイトのスコープ縮小条件が満たされて、子サイトにはサイトの管理者の閲覧のみが許され、他の全ての人のアクセスが禁止される。その結果、サイトの管理者以外の者には、この子サイトは閉鎖されたものと受け止められる。
【００８４】
その後、１０年が経過すると、子サイトのスコープ拡大条件が満たされる。拡大スコープの［閲覧］には、子サイトのコンテンツデータに含まれるコメントを書き込んだユーザの全てを意味する「書込ユーザ全て」が設定されている。従って、通知部１１６は子サイトのコンテンツデータからコメントの書込ユーザのメールアドレスを抽出し、抽出したメールアドレスの各々に宛てて、この子サイトの閲覧が可能となった旨を通知する電子メールを生成し、送信部１１５を介してネットワーク２１に送出する。
【００８５】
以上の結果、１０年以上昔に立ち寄って書き込みを行ったブログの読者は、閉鎖されていたと思っていた懐かしいサイトが休眠状態から解かれたことを知り、そのサイトへアクセスし、当時のことを思い出しながら再びブログの内容を読んで、例えば当時は気付かなかった新しい発見をすることができる。
【００８６】
なお、上記の例では、子サイトのスコープが縮小された後も、サイトの管理者はその子サイトの閲覧を許可する設定とされているが、例えばサイトの管理者も含め子サイトの閲覧を禁止する設定としておけば、サイトの管理者、すなわちブログの著者本人は、１０以上前に自分が綴った日々の思いや体験などを、長い時間を置いた後、客観的に読み返すことができる。その場合も新たな発見が生まれる可能性が高い。このように、システム１によれば、過去の自分から現在の自分へと無意識であるからこそ真実味を帯びたメッセージを伝えることが可能となる。
【００８７】
図１０に示したスコープ決定データ群の設定によれば、親サイトのスコープはサイトの管理者が手動でスコープの縮小を指示しない限り、オリジナルスコープが維持される。その一方で、自動的に過去ログのサイトが子サイトとして生成され、子サイトにおいては子サイトのスコープ決定データ群に従い、時間の経過に伴って自動的にスコープの縮小と拡大が行われる。
【００８８】
さらに、子サイトは、スコープの拡大が行われた後、１年が経過した後、自動的に閉鎖される。すなわち、再公開された情報の価値は一時的に高まっているが、再びその価値は低下し利用されなくなるため、このサイトにおいては自動的にサイトが閉鎖され、その子サイトに関するコンテンツデータおよびスコープ決定データ群はサーバ装置１１の記憶部１１１から削除される設定となっている。
【００８９】
［１．２．４．第４ケース］
第４のケースとして、家族がメッセージを交換するＳＮＳサイトのスコープが、システム１において変更される様子を説明する。このＳＮＳサイトは、多くの会員により利用されるＳＮＳサイトではなく、互いに遠く離れて暮らしている家族の各々が、毎年、父の日に父親とメッセージ交換を行うために利用されているプライベートなＳＮＳサイトである。
【００９０】
図１２は、このサイトのスコープ決定データ群を示している。図１２に示されるスコープ決定データ群に従い、このサイトのスコープは、毎年、父の日の３日前になると休眠状態が解かれ家族に対し閲覧および書込が許可され、父の日の３日後になると休眠状態に入りいずれの家族の閲覧および書込も禁止される。
【００９１】
このサイトのスコープ決定データ群の拡大スコープには、「オリジナルスコープに戻す」という特別なスコープが設定されている。この設定に従い、スコープ拡大条件が満たされた時、すなわち毎年、父の日の３日前が到来すると、それまで縮小され全てのユーザの閲覧・書込を禁止していたスコープが、家族の閲覧・書込を許可するオリジナルスコープに戻る。そのため、毎年、父の日の３日前になればオリジナルスコープとなり、父の日の３日後になれば縮小スコープとなる、ということが繰り返されることになる。
【００９２】
このように、システム１によれば、年々繰り返されていくアニバーサリーのように、定期的に繰り返されるイベントに伴う思い出を、懐かしく思い出しながら、また新たな思い出を追加していくこともできる。その結果、記念日のアルバムのような、従来は生成が難しかった情報の生成が容易に行えるようになる。
【００９３】
［２．変形例］
上述した実施形態は本発明を説明するための一例であって、本発明の技術的思想の範囲内において、様々な変形が可能である。
【００９４】
例えば、上述した実施形態において、ユーザ属性ＤＢや環境属性ＤＢが更新された場合、スコープ変更部１１２は全てのサイトに関するスコープ決定データ群を順次読み出し、それらに含まれる条件データが示す条件のうちユーザ属性ＤＢや環境属性ＤＢの更新に伴い新たに満たされることとなった条件を検索するものとしたが、そのような構成はサイト数が増えると効率的ではない。
【００９５】
従って、例えばスコープ決定データ群に条件データが追加される際、その条件データに関係する属性に関するユーザ属性ＤＢもしくは環境属性ＤＢのレコードにそのスコープ決定データ群のサイトＩＤを登録しておき、環境属性ＤＢもしくはユーザ属性ＤＢに更新がなされた場合、更新されたレコードに登録されているサイトＩＤのスコープ決定データ群のみをチェックする構成とすれば、サイト数が増えてもスコープ変更の処理が効率的に行われ望ましい。
【００９６】
また、上述した実施形態において、スコープを拡大した後、再度、縮小するための、スコープ再縮小条件および再縮小スコープをスコープ決定データ群に設けるようにしてもよい。そのような構成を採用すると、さらに柔軟なスコープの変更が可能となる。
【００９７】
また、上述した実施形態において、スコープの拡大に伴う通知の手段は電子メールによるものとしたが、それに限られない。例えば、それらのユーザの携帯電話の電話番号を登録しておき、自動音声によりそれらの電話番号に対し音声メッセージを発信することにより通知を行う構成が採用されてもよい。
【００９８】
また、上述した実施形態において、いずれのユーザのアクセスも許可されないサイト、すなわち休眠状態に入っているサイトのコンテンツデータの扱いについて特に述べなかったが、休眠状態に入るとコンテンツデータが自動的に圧縮され、休眠状態が解かれるとコンテンツデータが自動的に解凍される構成が採用されてもよい。また、休眠状態に入るとコンテンツデータが端末装置１２からのアクセスが許可されない記憶部１１１とは異なる他の記憶装置に自動的に移動され、休眠状態が解かれると自動的にその記憶装置から記憶部１１１へコンテンツデータが再移動される構成が採用されてもよい。いずれの場合も、サーバ装置１１の記憶部１１１の記憶容量を有効に活用することが可能となる。
【００９９】
なお、上述した実施形態において、スコープに含まれるユーザはユーザ単位で指定されるものとしたが、例えば複数のユーザをグループ化したユーザグループ単位での指定や、それらの混合による指定を可能としてもよい。
【産業上の利用可能性】
【０１００】
本発明は、ネットワークを介して情報を公開するサイトを管理し、過去に公開された情報の価値を再発見することを望む全てのユーザにとって利用可能である。
【符号の説明】
【０１０１】
１…システム、１１…サーバ装置、１２…端末装置、２１…ネットワーク、１１１…記憶部、１１２…スコープ変更部、１１３…計時部、１１４…受信部、１１５…送信部、１１６…通知部、１１７…本人認証部、１１８…アクセス制御部、１１２１…判定部
【図１】
2011060247.tif 000003
【図２】
2011060247.tif 000004
【図３】
2011060247.tif 000005
【図４】
2011060247.tif 000006
【図５】
2011060247.tif 000007
【図６】
2011060247.tif 000008
【図７】
2011060247.tif 000009
【図８】
2011060247.tif 000010
【図９】
2011060247.tif 000011
【図１０】
2011060247.tif 000012
【図１１】
2011060247.tif 000013
【図１２】
2011060247.tif 000014